(57)【要約】【課題】装置全体に電力を供給する電源の消耗を誤検出させることなく、消費電力や発熱を低減することができる表示データ送信装置を提供する。【解決手段】表示データ送信装置は、同期信号（ａ）および表示データ（ｂ）を表示装置に送信すると共に、表示データ（ｂ）を送信しない期間（ｄ）に表示データの生成処理を実行し、例えば、表示デバイスの走査１Ａに対する表示データの送信が完了してから走査２Ａに対する表示データの送信を開始するまでの期間３０に走査２Ａに対する表示データの生成処理を実行する。【選択図】図２
2008076717.tif 000002
【特許請求の範囲】
【請求項１】
表示デバイスに表示させる表示データを圧縮するデータ圧縮部と、
前記データ圧縮部によって圧縮された表示データを同期信号と共に前記表示デバイスに送信するデータ送信部と、
前記データ送信部が前記データ圧縮部によって圧縮された表示データを送信しない期間に前記同期信号に同期して実行する必要のある前記表示データの送信処理以外の同期処理を実行する同期処理部とを備えた表示データ送信装置。
【請求項２】
前記同期処理部は、前記表示データを生成する処理を前記同期処理として実行することを特徴とする請求項１に記載の表示データ送信装置。
【請求項３】
前記同期処理部は、前記表示デバイスとは異なる他の表示デバイスに表示させる表示データを送信する処理を前記同期処理として実行することを特徴とする請求項１に記載の表示データ送信装置。
【請求項４】
表示デバイスを有する表示装置と、前記表示デバイスに表示させる表示データを送信する表示データ送信装置とを備え、
前記表示データ送信装置は、前記表示データを圧縮するデータ圧縮部と、
前記データ圧縮部によって圧縮された表示データを同期信号と共に前記表示装置に送信するデータ送信部と、
前記データ送信部が前記データ圧縮部によって圧縮された表示データを送信しない期間に前記同期信号に同期して実行する必要のある前記表示データの送信処理以外の同期処理を実行する同期処理部とを有し、
前記表示装置は、前記データ送信部によって送信された表示データを伸長するデータ伸長部を有する表示システム。
【発明の詳細な説明】
【技術分野】
【０００１】
本発明は、表示デバイスに表示させる表示データを送信する表示データ送信装置に関するものである。
【背景技術】
【０００２】
従来の表示データ送信装置としては、図５に示すように、表示データを生成するデータ生成部９０と、表示データを保持するデータ保持部９１と、保持された表示データを同期信号およびストローブ信号と共に表示装置９２に送信するデータ送信部９３とを備えたものが知られている。
【０００３】
また、従来の表示データ送信装置として、表示デバイスに表示させる表示データを圧縮する表示デ−タ圧縮回路と、圧縮された表示データを送信する送信回路とを設け、表示デ−タ圧縮回路を設けたことにより発生する表示デ−タの無い期間に表示データの送信および受信にかかる電力の供給を休止することによって、消費電力や発熱を低減するものもある（例えば、特許文献１参照）。
【特許文献１】特開平４−３３０４８９号公報
【発明の開示】
【発明が解決しようとする課題】
【０００４】
しかしながら、図５に示した従来の表示データ送信装置は、表示データの送信以外に、同期信号にあわせて行う必要がある表示データの生成処理等の同期処理を行っているが、この同期処理に要する期間が表示データの大きさ等によって変動するため、同期処理を行っている期間と行っていない期間との間で消費電力の変動が生じ、装置全体に電力を供給する電池等の電源の消耗として誤検出されてしまうといった問題があった。
【０００５】
また、特許文献１に記載されたものは、消費電力を低減する効果があるが、消費電力の変動についての改善がなされていないため、図５に示した従来の表示データ送信装置と同様に、電源の消耗として誤検出されてしまうといった問題があった。
【０００６】
本発明は、従来の問題を解決するためになされたもので、装置全体に電力を供給する電源の消耗を誤検出させることなく、消費電力や発熱を低減することができる表示データ送信装置を提供することを目的とする。
【課題を解決するための手段】
【０００７】
本発明の表示データ送信装置は、表示デバイスに表示させる表示データを圧縮するデータ圧縮部と、前記データ圧縮部によって圧縮された表示データを同期信号と共に前記表示デバイスに送信するデータ送信部と、前記データ送信部が前記データ圧縮部によって圧縮された表示データを送信しない期間に前記同期信号に同期して実行する必要のある前記表示データの送信処理以外の同期処理を実行する同期処理部とを備えた構成を有している。
【０００８】
この構成により、本発明の表示データ送信装置は、表示デバイスに表示データを送信しない期間に同期処理を実行することにより、消費電力のピークを抑制するため、装置全体に電力を供給する電源の消耗を誤検出させることなく、消費電力や発熱を低減することができる。
【０００９】
なお、前記同期処理部は、前記表示データを生成する処理を前記同期処理として実行するようにしてもよい。
【００１０】
この構成により、本発明の表示データ送信装置は、表示デバイスに表示データを送信しない期間に表示データを生成する処理を実行することにより、消費電力のピークを抑制することができる。
【００１１】
また、前記同期処理部は、前記表示デバイスとは異なる他の表示デバイスに表示させる表示データを送信する処理を前記同期処理として実行するようにしてもよい。
【００１２】
この構成により、本発明の表示データ送信装置は、表示デバイスに表示データを送信しない期間に他の表示デバイスに表示させる表示データを送信する処理を実行することにより、消費電力のピークを抑制することができる。
【００１３】
さらに、本発明の表示データ送信装置は、複数の表示デバイスにそれぞれ送信する表示データを１つの経路で送信することができるため、当該装置を集積回路で構成した場合に、この集積回路の端子数を削減することができ、当該装置を小型化することができる。
【００１４】
また、本発明の表示システムは、表示デバイスを有する表示装置と、前記表示デバイスに表示させる表示データを送信する表示データ送信装置とを備え、前記表示データ送信装置は、前記表示データを圧縮するデータ圧縮部と、前記データ圧縮部によって圧縮された表示データを同期信号と共に前記表示装置に送信するデータ送信部と、前記データ送信部が前記データ圧縮部によって圧縮された表示データを送信しない期間に前記同期信号に同期して実行する必要のある前記表示データの送信処理以外の同期処理を実行する同期処理部とを有し、前記表示デバイスは、前記データ送信部によって送信された表示データを伸長するデータ伸長部を有する。
【００１５】
この構成により、本発明の表示システムは、表示データ送信装置が表示装置に表示データを送信しない期間に同期処理を実行することにより、消費電力のピークを抑制するため、少なくとも表示データ送信装置全体に電力を供給する電源の消耗を誤検出させることなく、消費電力や発熱を低減することができる。
【発明の効果】
【００１６】
本発明は、装置全体に電力を供給する電源の消耗を誤検出させることなく、消費電力や発熱を低減することができるといった効果を有する表示データ送信装置を提供することができる。
【発明を実施するための最良の形態】
【００１７】
以下、本発明の実施の形態について、図面を参照して説明する。なお、以下の説明においては、本発明における表示システムを携帯電話等の携帯装置に適用した例を説明する。
【００１８】
（第１の実施の形態）
本発明の第１の実施の形態の携帯装置を図１に示す。
【００１９】
図１に示すように、携帯装置１は、表示装置２と、表示装置２に表示させる表示データを送信する表示データ送信装置３とを備えている。
【００２０】
表示データ送信装置３は、表示データを生成するデータ生成部１０と、表示データを保持するデータ保持部１１と、表示データを圧縮するデータ圧縮部１２と、圧縮された表示データを表示装置２に送信するデータ送信部１３と、データ生成部１０の作動タイミングを制御する作動制御部１４とを有している。
【００２１】
本実施の形態において、データ生成部１０、データ圧縮部１２、データ送信部１３および作動制御部１４は、集積回路またはプログラミングされたＤＳＰ（Digital Signal Processor）等のプロセッサによって一体に構成されている。
【００２２】
データ生成部１０は、図示しない通信モジュールや記憶媒体等から映像データを取得し、取得した映像データをデコードして表示データを生成するようになっている。なお、本実施の形態において、データ生成部１０は、作動制御部１４と共に、本発明における同期処理部４を構成する。
【００２３】
データ保持部１１は、ＶＲＡＭ（Video Random Access Memory）等の記憶媒体によって構成され、データ生成部１０によって生成された表示データを保持するようになっている。
【００２４】
データ圧縮部１２は、データ保持部１１に保持された表示データを圧縮するようになっている。なお、データ圧縮部１２は、表示データをフレーム毎に圧縮するようにしてもよく、フレーム間の差分や相関をとることによって圧縮するようにしてもよい。
【００２５】
データ送信部１３は、表示装置２における各走査の表示タイミングを表す同期信号と、表示データの送信タイミングを表すストローブ信号とを生成し、生成した同期信号およびストローブ信号と共にデータ圧縮部１２によって圧縮された表示データを表示装置２に送信するようになっている。
【００２６】
作動制御部１４は、データ送信部１３が表示データを送信しない期間、例えば、データ送信部１３が表示データの送信を完了してから、次の走査の表示データの送信を開始するまでの期間を表す処理タイミング信号をデータ生成部１０に出力するようになっている。
【００２７】
データ生成部１０は、処理タイミング信号が表す期間に表示データを生成するようになっている。
【００２８】
表示装置２は、表示データ送信装置３のデータ送信部１３によって送信された同期信号、ストローブ信号および表示データを受信するデータ受信部２０と、表示データを伸長するデータ伸長部２１と、伸長された表示データが表す映像を同期信号に同期して表示する表示デバイス２２とを有している。
【００２９】
以上のように構成された携帯装置１について図２を用いてその動作を説明する。
【００３０】
図２には、表示データ送信装置３のデータ送信部１３から表示装置２のデータ受信部２０に送信される同期信号（ａ）および表示データ（ｂ）ならびに表示データ送信装置３の作動制御部１４からデータ生成部１０に出力される処理タイミング信号（ｃ）が示されている。
【００３１】
図２において、データ生成部１０による表示データの生成処理は、同期処理実行期間（ｄ）が示す間に実行される。例えば、データ生成部１０による表示デバイス２２の各走査１Ａ乃至４Ａのうち、走査２Ａに対する表示データの生成処理は、期間３０で実行される。
【００３２】
このような本発明の第１の実施の形態の携帯装置１は、表示データ送信装置３が表示装置２に表示データを送信しない期間に表示データを生成する処理を実行することにより、消費電力のピークを抑制するため、携帯装置１に電力を供給する電源の消耗を誤検出させることなく、消費電力や発熱を低減することができる。
【００３３】
なお、本実施の形態においては、本発明における同期処理部４をデータ生成部１０および作動制御部１４によって構成した例について説明したが、他の同期処理を実行するものによって同期処理部４を構成してもよい。
【００３４】
例えば、処理タイミング信号に基づいて音声データを生成する音声データ生成部を携帯装置１に設け、表示データと同期してスピーカ等の音声出力装置に音声データを出力するように携帯装置１を構成し、データ生成部１０、作動制御部１４および音声データ生成部によって本発明における同期処理部４を構成するようにしてもよい。
【００３５】
また、本実施の形態において、データ生成部１０による表示データの生成処理等の同期処理にかかる電力が、データ送信部１３による表示データの送信にかかる電力より高い場合には、表示データ送信装置３のデータ送信部１３が、表示データおよびストローブ信号を高い転送レートで表示装置２のデータ受信部２０に送信し、データ生成部１０が低速に表示データの生成処理を実行するようにして、携帯装置１の消費電力をより平滑化するようにしてもよい。
【００３６】
（第２の実施の形態）
本発明の第２の実施の形態の携帯装置を図３に示す。
【００３７】
図３に示すように、携帯装置５１は、表示装置５２と、表示装置５２に表示させる表示データを送信する表示データ送信装置５３とを備えている。
【００３８】
表示データ送信装置５３は、第１の表示データを生成するデータ生成部６０ａと、第２の表示データを生成するデータ生成部６０ｂと、第１および第２の表示データを保持するデータ保持部６１と、第１および第２の各表示データを圧縮するデータ圧縮部６２と、圧縮された第１および第２の表示データを表示装置５２に送信するデータ送信部６３と、データ圧縮部６２による圧縮に関するパラメータを調整するパラメータ調整部６４とを有している。
【００３９】
本実施の形態において、データ生成部６０ａ、６０ｂ、データ圧縮部６２、データ送信部６３およびパラメータ調整部６４は、集積回路またはプログラミングされたＤＳＰ等のプロセッサによって一体に構成されている。
【００４０】
データ生成部６０ａ、６０ｂは、図示しない通信モジュールや記憶媒体等から映像データを取得し、取得した映像データをデコードして第１および第２の表示データをそれぞれ生成するようになっている。
【００４１】
データ保持部６１は、ＶＲＡＭ等の記憶媒体によって構成され、データ生成部６０ａ、６０ｂによってそれぞれ生成された第１および第２の表示データを保持するようになっている。
【００４２】
データ圧縮部６２は、データ保持部１１に保持された第１および第２の表示データを圧縮するようになっている。なお、データ圧縮部６２は、表示データをフレーム毎に圧縮するようにしてもよく、フレーム間の差分や相関をとることによって圧縮するようにしてもよい。
【００４３】
データ送信部６３は、表示装置５２における各走査の表示タイミングを表す同期信号と、表示データの送信タイミングを表すストローブ信号とを生成し、生成した同期信号およびストローブ信号と共にデータ圧縮部６２によって圧縮された第１および第２の表示データを表示装置５２に送信するようになっている。なお、本実施の形態において、データ送信部６３は、本発明における同期処理部５４を構成する。
【００４４】
パラメータ調整部６４は、データ送信部６３による第１および第２の表示データの送信の状況に応じて、データ圧縮部６２による圧縮に関するパラメータを調整するようになっている。
【００４５】
例えば、第１および第２の表示データを送信するための時間が不足する場合には、パラメータ調整部６４は、データ圧縮部６２による圧縮に関するパラメータを調整し、第１および第２の表示データの少なくとも一方のフレームをスキップしたり、第１および第２の表示データの少なくとも一方が表す画質を劣化させたりすることによって、第１および第２の表示データを送信する時間を短縮するようになっている。
【００４６】
表示装置５２は、表示データ送信装置５３のデータ送信部６３によって送信された同期信号、ストローブ信号ならびに第１および第２の表示データを受信するデータ受信部７０と、第１および第２の表示データを伸長するデータ伸長部７１と、伸長された第１の表示データが表す映像を同期信号に同期して表示する表示デバイス７２ａと、伸長された第２の表示データが表す映像を同期信号に同期して表示する表示デバイス７２ｂとを有している。
【００４７】
以上のように構成された携帯装置５１について図４を用いてその動作を説明する。
【００４８】
図４には、表示データ送信装置５３のデータ送信部６３から表示装置５２のデータ受信部７０に送信される同期信号（ａ）、第１および第２の表示データ（ｂ）ならびにストローブ信号（ｃ）が示されている。
【００４９】
図４において、最初の同期信号間に、表示デバイス７２ａの走査１Ａに対する第１の表示データおよび表示デバイス７２ｂの走査１Ｂに対する第２の表示データ、次の同期信号間に、表示デバイス７２ａの走査２Ａに対する第１の表示データおよび表示デバイス７２ｂの走査２Ｂに対する第２の表示データ、次の同期信号間に、表示デバイス７２ａの走査３Ａに対する第１の表示データおよび表示デバイス７２ｂの走査３Ｂに対する第２の表示データ、次の同期信号間に、表示デバイス７２ａの走査４Ａに対する第１の表示データおよび表示デバイス７２ｂの走査４Ｂに対する第２の表示データといったように、各同期信号間に表示デバイス７２ａ、７２ｂの各走査に対する第１および第２の表示データがデータ送信部６３によってデータ受信部７０に順次送信される。
【００５０】
このような本発明の第２の実施の形態の携帯装置５１は、表示データ送信装置５３が表示装置５２に第１の表示データを送信しない期間に表示装置５２に第２の表示データを送信する処理を実行することにより、消費電力のピークを抑制するため、携帯装置５１に電力を供給する電源の消耗を誤検出させることなく、消費電力や発熱を低減することができる。
【００５１】
さらに、携帯装置５１は、表示デバイス７２ａ、７２ｂにそれぞれ送信する第１および第２の表示データを１つの経路で送信することができるため、データ送信部６３等を構成する集積回路の端子数を削減することができ、携帯装置５１を小型化することができる。
【００５２】
なお、本実施の形態において、表示データ送信装置５３から表示装置５２に第１および第２の表示データを送信する時間が不足している場合には、パラメータ調整部６４がデータ圧縮部６２による圧縮に関するパラメータを調整すると説明したが、データ送信部６３が、表示データおよびストローブ信号を高い転送レートでデータ受信部７０に送信するようにしてもよい。
【産業上の利用可能性】
【００５３】
以上のように、本発明にかかる表示データ送信装置は、装置全体に電力を供給する電源の消耗を誤検出させることなく、消費電力や発熱を低減することができるという効果を有し、例えば、表示デバイスに表示させる表示データを送信する表示データ送信装置等として有用である。
【図面の簡単な説明】
【００５４】
【図１】本発明の第１の実施の形態における携帯装置のブロック図
【図２】本発明の第１の実施の形態における携帯装置の動作説明のためのタイミング図
【図３】本発明の第２の実施の形態における携帯装置のブロック図
【図４】本発明の第２の実施の形態における携帯装置の動作説明のためのタイミング図
【図５】従来の表示データ送信装置のブロック図
【符号の説明】
【００５５】
１、５１  携帯装置
２、５２、９２  表示装置
３、５３  表示データ送信装置
４、５４  同期処理部
１０、６０ａ、６０ｂ、９０  データ生成部
１１、６１、９１  データ保持部
１２、６２  データ圧縮部
１３、６３、９３  データ送信部
１４  作動制御部
２０、７０  データ受信部
２１、７１  データ伸長部
２２、７２ａ、７２ｂ  表示デバイス
６４  パラメータ調整部
【図１】
2008076717.tif 000003
【図２】
2008076717.tif 000004
【図３】
2008076717.tif 000005
【図４】
2008076717.tif 000006
【図５】
2008076717.tif 000007